(57)【要約】【課題】エンジンカバーへの組み付け作業性に優れたチェーンテンショナを提供する。【解決手段】一端が開口した有底筒状のシリンダ９をエンジンカバー１１内に開口端を向けた姿勢でエンジンカバー１１のテンショナ取り付け孔１２に挿入し、そのシリンダ９の外周に形成されたフランジ１３をエンジンカバー１１の外面に当接させ、シリンダ９内にプランジャ１０を軸方向に摺動可能に挿入し、プランジャ１０をシリンダ９から突出する方向に付勢するリターンスプリング１９を設け、プランジャ１０のシリンダ９からの突出端でチェーン６を押圧するチェーンテンショナにおいて、シリンダ９の外周に、雄ねじ２１と円筒面２２とを円筒面２２がシリンダ９の開口端側に位置するように形成し、テンショナ取り付け孔１２の内周に、シリンダ９の外周の雄ねじ２１にねじ係合する雌ねじ２３と、シリンダ９の外周の円筒面２２に嵌合する円筒面２４とを形成する。【選択図】図２
2010090988.tif 000002
【特許請求の範囲】
【請求項１】
一端が開口した有底筒状のシリンダ（９）をエンジンカバー（１１）内に開口端を向けた姿勢でエンジンカバー（１１）のテンショナ取り付け孔（１２）に挿入し、そのシリンダ（９）の外周に形成されたフランジ（１３）をエンジンカバー（１１）の外面に当接させ、前記シリンダ（９）内にプランジャ（１０）を軸方向に摺動可能に挿入し、そのシリンダ（９）とプランジャ（１０）とで囲まれる圧力室（２５）にシリンダ（９）の外部から作動油を導入する給油通路（２６）を設け、その給油通路（２６）に作動油の逆流を防止するチェックバルブ（２９）を設け、前記プランジャ（１０）をシリンダ（９）から突出する方向に付勢するリターンスプリング（１９）を設け、前記プランジャ（１０）のシリンダ（９）からの突出端でチェーン（６）を押圧するチェーンテンショナにおいて、
前記シリンダ（９）の外周に、雄ねじ（２１）と円筒面（２２）とを円筒面（２２）がシリンダ（９）の開口端側に位置するように形成し、前記テンショナ取り付け孔（１２）の内周に、前記シリンダ（９）の外周の雄ねじ（２１）にねじ係合する雌ねじ（２３）と、前記シリンダ（９）の外周の円筒面（２２）に嵌合する円筒面（２４）とを形成したことを特徴とするチェーンテンショナ。
【請求項２】
前記フランジ（１３）の外周を六角形状とした請求項１に記載のチェーンテンショナ。
【請求項３】
前記フランジ（１３）の外周に二面取り部（３９）を形成した請求項１に記載のチェーンテンショナ。
【請求項４】
前記シリンダ（９）の底部側の端面に工具係合溝（４０）を形成した請求項１に記載のチェーンテンショナ。
【請求項５】
前記シリンダ（９）の底部側の端面に六角棒レンチの挿入穴（４１）を形成した請求項１に記載のチェーンテンショナ。
【請求項６】
前記フランジ（１３）とエンジンカバー（１１）の間に環状のシール部材（１４）を組み込み、そのシール部材（１４）の内周に周方向に間隔をおいて複数の直線部（３６）を形成し、その直線部（３６）を前記シリンダ（９）の外周に締め代をもって嵌合させた請求項１から５のいずれかに記載のチェーンテンショナ。
【請求項７】
前記フランジ（１３）とエンジンカバー（１１）の間に環状のシール部材（３８）を組み込み、そのシール部材（３８）の内周に周方向に連続するゴム製のリップ（３７）を設け、そのリップ（３７）を前記シリンダ（９）の外周に締め代をもって嵌合させた請求項１から５のいずれかに記載のチェーンテンショナ。
【請求項８】
前記シリンダ（９）のテンショナ取り付け孔（１２）への挿入部分の外周に円周溝（２７）を形成し、その円周溝（２７）内に前記給油通路（２６）の入口を開口させた請求項１から７のいずれかに記載のチェーンテンショナ。
【請求項９】
前記テンショナ取り付け孔（１２）の内周に、前記シリンダ（９）の外周の円筒面（２２）と半径方向に間隔をあけて対向する大径部（４３）を設け、その大径部（４３）と前記シリンダ（９）の外周との間に形成される環状空間（４４）に前記給油通路（２６）の入口を開口させた請求項１から７のいずれかに記載のチェーンテンショナ。
【請求項１０】
前記シリンダ（９）の底部側の端面に、前記給油通路（２６）の位置を示す識別マーク（４２）を付した請求項１から９のいずれかに記載のチェーンテンショナ。
【請求項１１】
前記シリンダ（９）の内周に、シリンダ（９）の開口端側がシリンダ（９）の底部側よりも小径となるように段差を付けたセット溝（３０）を形成し、そのセット溝（３０）内に、円周の一部を切り離した形状のセットリング（３１）を弾性的に縮径した状態で組み込み、そのセットリング（３１）の内径側部分に係合する係合溝（３２）をプランジャ（１０）の外周に形成し、そのセットリング（３１）と係合溝（３２）の係合によりプランジャ（１０）をシリンダ（９）内に押し込んだ状態に保持可能とし、プランジャ（１０）を更にシリンダ（９）内に押し込む操作によりセットリング（３１）がセット溝（３０）内で拡径して係合溝（３２）との係合を解除するようにした請求項１から１０のいずれかに記載のチェーンテンショナ。
【請求項１２】
前記プランジャ（１０）をシリンダ（９）内への挿入端が開口する有底筒状に形成し、そのプランジャ（１０）の内周に形成した雌ねじ（１５）にねじ係合する雄ねじ（１６）を外周に有するスクリュロッド（１７）を設け、そのスクリュロッド（１７）の前記プランジャ（１０）からの突出端を前記シリンダ（９）内に設けたロッドシート（１８）で支持し、前記雄ねじ（１６）と雌ねじ（１５）は、プランジャ（１０）をシリンダ（９）内に押し込む方向の力が作用したときに圧力を受ける圧力側フランクのフランク角が、遊び側フランクのフランク角よりも大きい鋸歯状に形成されている請求項１から１１のいずれかに記載のチェーンテンショナ。
【請求項１３】
前記プランジャ（１０）の外周を弾性的に締め付けるレジスタリング（５２）を、前記シリンダ（９）の内周に形成した収容溝（５３）に収容し、そのレジスタリング（５２）を、プランジャ（１０）の外周に軸方向に一定の間隔をおいて形成された円周溝（５４）に係合させ、その各円周溝（５４）内には、前記プランジャ（１０）をシリンダ（９）から突出する方向に押圧したときに、レジスタリング（５２）を拡径させてプランジャ（１０）の移動を許容するテーパ面（５５）と、前記プランジャ（１０）をシリンダ（９）内に押し込む方向に押圧したときに、レジスタリング（５２）を係止してプランジャ（１０）の移動を制限するストッパ面（５６）とが設けられている請求項１から１１のいずれかに記載のチェーンテンショナ。
【発明の詳細な説明】
【技術分野】
【０００１】
この発明は、自動車エンジンのカムシャフトを駆動するタイミングチェーンの張力保持に用いられるチェーンテンショナに関する。
【背景技術】
【０００２】
自動車のエンジンは、一般に、クランクシャフトの回転をタイミングチェーンを介してカムシャフトに伝達し、そのカムシャフトの回転により燃焼室のバルブの開閉を行なう。ここで、チェーンの張力を適正範囲に保つために、支点軸を中心として揺動可能に設けたチェーンガイドと、そのチェーンガイドを介してチェーンを押圧するチェーンテンショナとからなる張力調整装置が多く用いられる。
【０００３】
この張力調整装置に組み込まれるチェーンテンショナとして、一端が開口した有底筒状のシリンダをエンジンカバー内に開口端を向けた姿勢でエンジンカバーのテンショナ取り付け孔に挿入し、そのシリンダの外周に形成されたフランジをエンジンカバーの外面に当接させ、前記シリンダ内にプランジャを軸方向に摺動可能に挿入し、そのシリンダとプランジャとで囲まれる圧力室にシリンダの外部から作動油を導入する給油通路を設け、その給油通路に作動油の逆流を防止するチェックバルブを設け、前記プランジャをシリンダから突出する方向に付勢するリターンスプリングを設け、前記プランジャのシリンダからの突出端でチェーンを押圧するようにしたものが知られている（特許文献１）。
【０００４】
このチェーンテンショナは、エンジン作動中にチェーンの張力が大きくなると、そのチェーンの張力によって、プランジャがシリンダ内に押し込まれる方向（以下、「押し込み方向」という）に移動し、チェーンの緊張を吸収する。このとき、圧力室内の作動油が、プランジャとシリンダの摺動面間のリーク隙間を通って流出し、その作動油の流量が制限されてダンパ作用が生じるので、プランジャはゆっくりと移動する。
【０００５】
一方、エンジン作動中にチェーンの張力が小さくなると、リターンスプリングの付勢力によって、プランジャがシリンダから突出する方向（以下、「突出方向」という）に移動し、チェーンの弛みを吸収する。このとき、オイルポンプから供給される作動油が、給油通路を通って圧力室に流入するので、プランジャは速やかに移動する。
【特許文献１】特開２００６−１５３１１８号公報
【発明の開示】
【発明が解決しようとする課題】
【０００６】
ところで、上記チェーンテンショナは、シリンダの外周のフランジに複数のボルト穴が形成されており、このチェーンテンショナをエンジンカバーに組み付けるときは、エンジンカバーのテンショナ取り付け孔にシリンダを挿入し、シリンダの外周のフランジをエンジンカバーの外面に当接させ、そのフランジの各ボルト穴にそれぞれボルトを差し込んでエンジンカバーのタップ穴にねじ込み、その各ボルトの締め付けによりフランジを固定する。
【０００７】
しかし、複数のボルトを準備するのは煩雑であり、また、その各ボルトを斜め締めとならないようにそれぞれねじ込む作業も煩雑である。
【０００８】
この発明が解決しようとする課題は、エンジンカバーへの組み付け作業性に優れたチェーンテンショナを提供することである。
【課題を解決するための手段】
【０００９】
上記の課題を解決するため、前記シリンダの外周に、雄ねじと円筒面とを円筒面がシリンダの開口端側に位置するように形成し、前記テンショナ取り付け孔の内周に、前記シリンダの外周の雄ねじにねじ係合する雌ねじと、前記シリンダの外周の円筒面に嵌合する円筒面とを形成した。このようにすると、ボルトを使用せずに、シリンダの外周の雄ねじをテンショナ取り付け孔の内周の雌ねじにねじ込むことによりチェーンテンショナを組み付けることができる。また、シリンダの外周の円筒面がテンショナ取り付け孔の内周の円筒面に嵌合し、その嵌合によってシリンダとテンショナ取り付け孔の中心が一致するので、シリンダの外周の雄ねじをテンショナ取り付け孔の内周の雌ねじにねじ込むときに、雄ねじが斜めにねじ込まれるのを防止することができ、円滑なねじ込みが可能である。
【００１０】
前記フランジの外周を六角形状とすると、フランジの外周にレンチをかけることができるので、そのレンチを操作して、シリンダの外周の雄ねじをテンショナ取り付け孔の内周の雌ねじに締め付けることが可能となる。前記フランジの外周に二面取り部を形成しても同様である。また、前記シリンダの底部側の端面に工具係合溝を形成しても、その工具係合溝に係合させた工具（マイナスドライバー等）を操作して、シリンダの外周の雄ねじをテンショナ取り付け孔の内周の雌ねじに締め付けることが可能となる。前記シリンダの底部側の端面に六角棒レンチの挿入穴を形成しても同様である。
【００１１】
前記フランジとエンジンカバーの間に環状のシール部材を組み込む場合、そのシール部材の内周に周方向に間隔をおいて複数の直線部を形成し、その直線部を前記シリンダの外周に締め代をもって嵌合させると、エンジンカバーに組み付ける前の状態において、チェーンテンショナからシール部材が脱落するのを防止することができ、エンジンカバーへの組み付け作業性が向上する。
【００１２】
同様に、前記フランジとエンジンカバーの間に環状のシール部材を組み込む場合、そのシール部材の内周に周方向に連続するゴム製のリップを設け、そのリップを前記シリンダの外周に締め代をもって嵌合させても、エンジンカバーに組み付ける前の状態において、チェーンテンショナからシール部材が脱落するのを防止することができ、エンジンカバーへの組み付け作業性が向上する。
【００１３】
前記シリンダのテンショナ取り付け孔への挿入部分の外周に円周溝を形成し、その円周溝内に前記給油通路の入口を開口させると好ましい。このようにすると、テンショナ取り付け孔に対するシリンダの位置が周方向にずれたときにも、作動油を給油通路に確実に導入することができる。
【００１４】
同様に、前記テンショナ取り付け孔の内周に、前記シリンダの外周の円筒面と半径方向に間隔をあけて対向する大径部を設け、その大径部と前記シリンダの外周との間に形成される環状空間に前記給油通路の入口を開口させてもよい。このようにしても、テンショナ取り付け孔に対するシリンダの位置が周方向にずれたときにも、作動油を給油通路に確実に導入することができる。
【００１５】
さらに、前記シリンダの底部側の端面に、前記給油通路の位置を示す識別マークを付すと、シリンダの外周の雄ねじをテンショナ取り付け孔の内周の雌ねじにねじ込む作業を、給油通路の位置を確認しながら行なうことができる。
【００１６】
また、前記シリンダの内周に、シリンダの開口端側がシリンダの底部側よりも小径となるように段差を付けたセット溝を形成し、そのセット溝内に、円周の一部を切り離した形状のセットリングを弾性的に縮径した状態で組み込み、そのセットリングの内径側部分に係合する係合溝をプランジャの外周に形成し、そのセットリングと係合溝の係合によりプランジャをシリンダ内に押し込んだ状態に保持可能とし、プランジャを更にシリンダ内に押し込む操作によりセットリングがセット溝内で拡径して係合溝との係合を解除するようにすることができる。
【００１７】
この発明は、例えば、次のチェーンテンショナに適用することができる。
１）前記プランジャをシリンダ内への挿入端が開口する有底筒状に形成し、そのプランジャの内周に形成した雌ねじにねじ係合する雄ねじを外周に有するスクリュロッドを設け、そのスクリュロッドの前記プランジャからの突出端を前記シリンダ内に設けたロッドシートで支持し、前記雄ねじと雌ねじは、プランジャをシリンダ内に押し込む方向の力が作用したときに圧力を受ける圧力側フランクのフランク角が、遊び側フランクのフランク角よりも大きい鋸歯状に形成されている鋸歯ねじ式のチェーンテンショナ。
２）前記プランジャの外周を弾性的に締め付けるレジスタリングを、前記シリンダの内周に形成した収容溝に収容し、そのレジスタリングを、プランジャの外周に軸方向に一定の間隔をおいて形成された円周溝に係合させ、その各円周溝内には、前記プランジャをシリンダから突出する方向に押圧したときに、レジスタリングを拡径させてプランジャの移動を許容するテーパ面と、前記プランジャをシリンダ内に押し込む方向に押圧したときに、レジスタリングを係止してプランジャの移動を制限するストッパ面とが設けられているリング式のチェーンテンショナ。
【発明の効果】
【００１８】
この発明のチェーンテンショナは、シリンダの外周の雄ねじをテンショナ取り付け孔の内周の雌ねじにねじ込むことによりエンジンカバーに組み付けることができるので、その組み付けに際してボルトが不要であり、エンジンカバーへの組み付け作業性に優れる。また、シリンダの外周の円筒面がテンショナ取り付け孔の内周の円筒面に嵌合し、その嵌合によってシリンダとテンショナ取り付け孔の中心が一致するので、シリンダの外周の雄ねじをテンショナ取り付け孔の内周の雌ねじにねじ込むときに、雄ねじが斜めにねじ込まれるのを防止することができ、円滑なねじ込みが可能である。
【発明を実施するための最良の形態】
【００１９】
図１に、この発明の第１実施形態のチェーンテンショナ１を組み込んだチェーン伝導装置を示す。このチェーン伝導装置は、エンジンのクランクシャフト２に固定されたスプロケット３と、カムシャフト４に固定されたスプロケット５とがチェーン６を介して連結されており、そのチェーン６がクランクシャフト２の回転をカムシャフト４に伝達し、そのカムシャフト４の回転により燃焼室のバルブ（図示せず）の開閉を行なう。
【００２０】
チェーン６には、支点軸７を中心として揺動可能に支持されたチェーンガイド８が接触しており、チェーンテンショナ１は、そのチェーンガイド８を介してチェーン６を押圧している。
【００２１】
図２に示すように、チェーンテンショナ１は、一端が開口した有底筒状のシリンダ９と、シリンダ９内に軸方向に摺動可能に挿入されたプランジャ１０とを有する。シリンダ９は、エンジンカバー１１内に開口端を向けた姿勢でエンジンカバー１１のテンショナ取り付け孔１２に挿入されている。シリンダ９の外周にはフランジ１３が一体に形成され、そのフランジ１３が、環状のシール部材１４を介してエンジンカバー１１の外面に当接している。
【００２２】
プランジャ１０は、シリンダ９内への挿入端が開放する有底筒状に形成されており、その内周に雌ねじ１５が形成されている。プランジャ１０内には、雌ねじ１５にねじ係合する雄ねじ１６を外周に有するスクリュロッド１７が組み込まれている。スクリュロッド１７は、一端がプランジャ１０から突出しており、その突出端が、シリンダ９内に設けたロッドシート１８で支持されている。
【００２３】
プランジャ１０とスクリュロッド１７の間には、リターンスプリング１９が組み込まれている。リターンスプリング１９は、一端がスクリュロッド１７で支持され、他端がスプリングシート２０を介してプランジャ１０を押圧しており、その押圧によって、プランジャ１０をシリンダ９から突出する方向に付勢している。プランジャ１０は、シリンダ９からの突出端がチェーンガイド８に当接し、そのチェーンガイド８を介してチェーン６を押圧する。
【００２４】
雄ねじ１６と雌ねじ１５は、プランジャ１０をシリンダ９内に押し込む方向の力が作用したときに圧力を受ける圧力側フランクのフランク角が、遊び側フランクのフランク角よりも大きい鋸歯状に形成されている。
【００２５】
シリンダ９は、テンショナ取り付け孔１２への挿入部分の外周に雄ねじ２１と円筒面２２とが形成されている。円筒面２２は、雄ねじ２１よりもシリンダ９の開口端側に位置しており、雄ねじ２１よりも小径である。一方、テンショナ取り付け孔１２の内周には、エンジンカバー１１の外面側から内面側に向かって順に、シリンダ９の外周の雄ねじ２１にねじ係合する雌ねじ２３と、シリンダ９の外周の円筒面２２に嵌合する円筒面２４とが形成されている。
【００２６】
シリンダ９には、シリンダ９とプランジャ１０とで囲まれる圧力室２５に作動油を導入する給油通路２６が形成されている。給油通路２６は、シリンダ９を半径方向に貫通しており、給油通路２６の入口は、シリンダ９のテンショナ取り付け孔１２への挿入部分の外周に形成された円周溝２７内に開口している。
【００２７】
円周溝２７は、エンジンカバー１１に形成された油孔２８に連通しており、この油孔２８を通ってオイルポンプ（図示せず）から供給された作動油が、円周溝２７と給油通路２６とを順に介して圧力室２５内に導入されるようになっている。給油通路２６の出口には、圧力室２５から給油通路２６への作動油の逆流を防止するチェックバルブ２９が設けられている。
【００２８】
シリンダ９の内周には、シリンダ９の開口端側がシリンダ９の底部側よりも小径となるように段差を付けたセット溝３０が形成され、そのセット溝３０内にセットリング３１が組み込まれている。セットリング３１は、円周の一部を切り離した形状であり、弾性的に縮径した状態となっている。
【００２９】
プランジャ１０の外周には、図３に示すように、プランジャ１０をシリンダ９内に押し込んだ状態でセット溝３０に合致する係合溝３２が形成されている。セットリング３１は、セット溝３０内のシリンダ９の開口端側にある状態で、セットリング３１の内径側部分が係合溝３２に係合し、その係合によりプランジャ１０をシリンダ９内に押し込んだ状態に保持（以下、「初期セット」という）する。また、セットリング３１は、プランジャ１０を更にシリンダ９内に押し込む操作により、セット溝３０内をシリンダ９の開口端側から底部側に移動し、セット溝３０内で拡径して係合溝３２との係合を解除する。
【００３０】
また、シリンダ９の内周には、セット溝３０よりもシリンダ９の底部側に収容溝３３が形成され、その収容溝３３に収容されたストッパリング３４が、プランジャ１０の外周を弾性的に締め付けている。一方、プランジャ１０の外周には、係合溝３２よりもプランジャ１０のシリンダ９内への挿入端側にストッパ溝３５が形成されており、プランジャ１０がシリンダ９から突出したときに、ストッパリング３４がストッパ溝３５に係合してプランジャ１０をシリンダ９から抜け止めするようになっている。
【００３１】
シール部材１４は、図２に示すように、フランジ１３とエンジンカバー１１の間に組み込まれており、給油通路２６から供給された作動油が、雄ねじ２１と雌ねじ２３の間のねじ隙間を通ってエンジンカバー１１外に漏れるのを防止している。シール部材１４は、図４に示すように、その内周に周方向に間隔をおいて複数の直線部３６が形成され、その直線部３６がシリンダ９の外周に締め代をもって嵌合しており、図３に示すように、チェーンテンショナ１をエンジンカバー１１に組み付ける前の状態のときに、シリンダ９の外周にシール部材１４が保持されるようになっている。
【００３２】
図６に示すように、フランジ１３の外周は六角形状となっており、フランジ１３の外周にレンチ（スパナやボックスレンチ等）をかけることができるようになっている。
【００３３】
このチェーンテンショナ１のエンジンカバー１１への組み付けは、例えば、次のようにして行なう。
【００３４】
まず、図３に示すようにチェーンテンショナ１を初期セットし、その状態でエンジンカバー１１のテンショナ取り付け孔１２にシリンダ９を挿入して、シリンダ９の外周の円筒面２２をテンショナ取り付け孔１２の内周の円筒面２４に嵌合させる。このとき、円筒面２２，２４同士の嵌合によってシリンダ９とテンショナ取り付け孔１２の中心が一致する。
【００３５】
つづいて、シリンダ９の外周の雄ねじ２１をテンショナ取り付け孔１２の内周の雌ねじ２３にねじ込む。このとき、フランジ１３の外周にレンチをかけ、そのレンチを操作して雄ねじ２１を雌ねじ２３に締め付けることができる。雄ねじ２１を雌ねじ２３に完全にねじ込むと、プランジャ１０がチェーンガイド８から受ける反力によってシリンダ９内に押し込まれるので、図２に示すように、セットリング３１がセット溝３０内をシリンダ９の開口端側から底部側に移動し、チェーンテンショナ１の初期セットが解除される。
【００３６】
次に、このチェーンテンショナ１の動作例を説明する。
【００３７】
エンジン作動中にチェーン６の張力が小さくなると、プランジャ１０がリターンスプリング１９の付勢力によって突出方向に移動し、チェーン６の弛みを吸収する。このとき、オイルポンプから供給される作動油が、給油通路２６を通って圧力室２５に流入するので、プランジャ１０は速やかに移動する。
【００３８】
一方、エンジン作動中にチェーン６の張力が大きくなると、そのチェーン６の張力によって、プランジャ１０が押し込み方向に移動し、チェーン６の緊張を吸収する。このとき、圧力室２５内の作動油が、プランジャ１０とシリンダ９の摺動面間のリーク隙間を通って流出し、ダンパ作用が生じるので、プランジャ１０はゆっくりと移動する。また、スクリュロッド１７は、チェーン６の振動により、雌ねじ１５と雄ねじ１６の隙間の範囲内で前進と後退を繰り返しながら、プランジャ１０に対して回転する。
【００３９】
エンジン停止時に、カムシャフト４に接続したカム（図示せず）の停止位置によってチェーン６の張力が大きくなる場合があるが、この場合、チェーン６が振動しないので、プランジャ１０の雌ねじ１５がスクリュロッド１７の雄ねじ１６で受け止められ、プランジャ１０の位置が固定される。そのため、エンジンを再始動するときに、チェーン６の弛みを生じにくく、円滑なエンジン始動が可能である。
【００４０】
このチェーンテンショナ１は、シリンダ９の外周の雄ねじ２１をテンショナ取り付け孔１２の内周の雌ねじ２３にねじ込むことによりエンジンカバー１１に組み付けることができるので、その組み付けに際してボルトが不要であり、エンジンカバー１１への組み付け作業性に優れる。
【００４１】
また、このチェーンテンショナ１は、エンジンカバー１１に組み付ける際、シリンダ９の外周の円筒面２２がテンショナ取り付け孔１２の内周の円筒面２４に嵌合し、その嵌合によってシリンダ９とテンショナ取り付け孔１２の中心が一致するので、シリンダ９の外周の雄ねじ２１をテンショナ取り付け孔１２の内周の雌ねじ２３にねじ込むときに、雄ねじ２１が斜めにねじ込まれるのを防止することができ、円滑なねじ込みが可能である。
【００４２】
また、このチェーンテンショナ１は、シール部材１４の内周の直線部３６がシリンダ９の外周に締め代をもって嵌合しているので、エンジンカバー１１に組み付ける前の状態において、チェーンテンショナ１からシール部材１４が脱落するのを防止することができ、エンジンカバー１１への組み付け作業性に優れる。
【００４３】
また、このチェーンテンショナ１は、テンショナ取り付け孔１２に対するシリンダ９の位置が周方向にずれて、油孔２８と給油通路２６とが合致しないときにも、円周溝２７を介して油孔２８と給油通路２６の間の連通が確保されるので、作動油を給油通路２６に確実に導入することができる。
【００４４】
フランジ１３とエンジンカバー１１の間に組み込むシール部材として、図５に示すように、周方向に連続するゴム製のリップ３７を内周に設けたシール部材３８を使用し、そのリップ３７がシリンダ９の外周に締め代をもって嵌合するようにしてもよい。このようにしても、エンジンカバー１１に組み付ける前の状態において、チェーンテンショナ１からシール部材３８が脱落するのを防止することができる。
【００４５】
フランジ１３の外周は、図７に示すように、二面取り部３９を形成してもよい。このようにしても、フランジ１３の外周にレンチをかけることができるので、そのレンチを操作して、シリンダ９の外周の雄ねじ２１をテンショナ取り付け孔１２の内周の雌ねじ２３に締め付けることが可能となる。ここで、二面取り部３９は、シリンダ９の中心を含む平面に平行な２平面に沿ってフランジ１３の外周を切り取った形状の部分である。
【００４６】
また、図８（ａ），（ｂ）に示すように、シリンダ９の底部側の端面に工具係合溝４０を形成してもよい。このようにしても、工具係合溝４０に係合させた工具（マイナスドライバー等）を操作して、シリンダ９の外周の雄ねじ２１をテンショナ取り付け孔１２の内周の雌ねじ２３に締め付けることが可能となる。同様に、図９（ａ），（ｂ）に示すように、シリンダ９の底部側の端面に六角棒レンチの挿入穴４１を形成してもよい。
【００４７】
また、図８（ａ），（ｂ）に示すように、シリンダ９の底部側の端面に、給油通路２６の位置を示す識別マーク４２を付すことができる。このようにすると、シリンダ９の外周の雄ねじ２１をテンショナ取り付け孔１２の内周の雌ねじ２３にねじ込む作業を、給油通路２６の位置を確認しながら行なうことができる。
【００４８】
図１０に示すように、テンショナ取り付け孔１２の内周に、前記シリンダ９の外周の円筒面２２と半径方向に間隔をあけて対向する大径部４３を設け、その大径部４３とシリンダ９の外周との間に形成される環状空間４４に給油通路２６の入口を開口させてもよい。このようにしても、テンショナ取り付け孔１２に対するシリンダ９の位置が周方向にずれて、油孔２８と給油通路２６とが合致しないときにも、環状空間４４を介して油孔２８と給油通路２６の間の連通が確保されるので、作動油を給油通路２６に確実に導入することができる。
【００４９】
図１１に、この発明の第２実施形態のチェーンテンショナ５１を示す。第１実施形態に対応する部分は、同一の符号を付して説明を省略する。
【００５０】
シリンダ９の内周には、レジスタリング５２を収容する収容溝５３が形成され、その収容溝５３に収容されたレジスタリング５２が、プランジャ１０の外周を弾性的に締め付けている。プランジャ１０の外周には、軸方向に一定の間隔をおいて複数の円周溝５４が形成されており、レジスタリング５２は、その円周溝５４に係合している。
【００５１】
各円周溝５４内には、プランジャ１０をシリンダ９から突出する方向に押圧したときに、レジスタリング５２を拡径させてプランジャ１０の移動を許容するテーパ面５５と、プランジャ１０をシリンダ９内に押し込む方向に押圧したときに、レジスタリング５２を係止してプランジャ１０の移動を制限するストッパ面５６とが設けられており、エンジン停止時にチェーン６の張力が大きくなった場合に、円周溝５４とレジスタリング５２との係合によって、プランジャ１０の押し込み方向の移動が制限されるようになっている。
【００５２】
プランジャ１０のシリンダ９からの突出端には、圧力室２５内の圧力が予め設定した圧力よりも大きくなったときに開くリリーフバルブ５７が組み込まれており、チェーン６の張力が急激に大きくなったときに、リリーフバルブ５７が開いて圧力室２５の作動油を逃がし、チェーン６の緊張を緩和するようになっている。
【００５３】
このチェーンテンショナ５１も、第１実施形態と同様、シリンダ９の外周の雄ねじ２１をテンショナ取り付け孔１２の内周の雌ねじ２３にねじ込むことによりエンジンカバー１１に組み付けることができるので、その組み付けに際してボルトが不要であり、エンジンカバー１１への組み付け作業性に優れる。
【００５４】
また、このチェーンテンショナ５１は、エンジンカバー１１に組み付ける際、シリンダ９の外周の円筒面２２がテンショナ取り付け孔１２の内周の円筒面２４に嵌合し、その嵌合によってシリンダ９とテンショナ取り付け孔１２の中心が一致するので、シリンダ９の外周の雄ねじ２１をテンショナ取り付け孔１２の内周の雌ねじ２３にねじ込むときに、雄ねじ２１が斜めにねじ込まれるのを防止することができ、円滑なねじ込みが可能である。
【図面の簡単な説明】
【００５５】
【図１】この発明の第１実施形態のチェーンテンショナを組み込んだチェーン伝導装置を示す正面図
【図２】図１のチェーンテンショナ近傍の拡大断面図
【図３】図２に示すチェーンテンショナをエンジンカバーに組み付ける前の状態を示す拡大断面図
【図４】図３のIV−IV線に沿った断面図
【図５】図３に示すシール部材の変形例を示す図
【図６】図３に示すチェーンテンショナの側面図
【図７】図６に示すフランジの変形例を示す図
【図８】（ａ）は図６に示すフランジの他の変形例を示すチェーンテンショナの側面図、（ｂ）は（ａ）の正面図
【図９】（ａ）は図６に示すフランジの更に他の変形例を示すチェーンテンショナの側面図、（ｂ）は（ａ）の正面図
【図１０】図２に示すテンショナ取り付け孔の変形例を示す図
【図１１】この発明の第２実施形態のチェーンテンショナを示す拡大断面図
【符号の説明】
【００５６】
１        チェーンテンショナ
６        チェーン
９        シリンダ
１０      プランジャ
１１      エンジンカバー
１２      テンショナ取り付け孔
１３      フランジ
１４      シール部材
１５      雌ねじ
１６      雄ねじ
１７      スクリュロッド
１８      ロッドシート
１９      リターンスプリング
２１      雄ねじ
２２      円筒面
２３      雌ねじ
２４      円筒面
２５      圧力室
２６      給油通路
２７      円周溝
２９      チェックバルブ
３０      セット溝
３１      セットリング
３２      係合溝
３６      直線部
３７      リップ
３８      シール部材
３９      二面取り部
４０      工具係合溝
４１      六角棒レンチの挿入穴
４２      識別マーク
４３      大径部
４４      環状空間
５１      チェーンテンショナ
５２      レジスタリング
５３      収容溝
５４      円周溝
５５      テーパ面
５６      ストッパ面
【図１】
2010090988.tif 000003
【図２】
2010090988.tif 000004
【図３】
2010090988.tif 000005
【図４】
2010090988.tif 000006
【図５】
2010090988.tif 000007
【図６】
2010090988.tif 000008
【図７】
2010090988.tif 000009
【図８】
2010090988.tif 000010
【図９】
2010090988.tif 000011
【図１０】
2010090988.tif 000012
【図１１】
2010090988.tif 000013